【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
試料（１０、２０）から各々進行する第１及び第２部分画像ビーム（１１２、１２２）を一つの合成画像ビーム（１０２）に合成するための光学システムであって、
第１及び第２部分画像ビーム（１１２、１２２）に対して、それぞれ一つ以上のストップ部（３０１ａ、３０１ｂ；９１１、９１２）を有する可動ストップ要素（１１５、１２５；３００；４０２、４０３；５０２、５０３；６０２、６０３）をそれぞれ備えて構成される、一つのストップ装置（１０３；４００；５００；６００）が設けられ、
合成画像ビーム（１０２）内の各部分画像ビーム（１１２、１２２；３０２）の面積比を修正するために、ストップ要素（１１５、１２５；３００；４０２、４０３；５０２、５０３；６０２、６０３）の移動によって少なくとも一つのストップ部（３０１ａ、３０１ｂ；９１１、９１２）が、部分画像ビーム（１１２、１２２；３０２）と作動位置にもたらされ得、
ストップ装置（１０３；４００；５００；６００）は、２つのストップ要素（１１５、１２５；３００；４０２、４０３；５０２、５０３；６０２、６０３）を結合するために、可動に配置された結合手段（１０４；４０１；５０１；６０１）を備えて構成され、
合成画像ビーム（１０２）内の部分画像ビーム（１１２、１２２；３０２）の各面積比が、結合手段（１０４；４０１；５０１；６０１）の移動によって修正可能である、光学システムにおいて、
前記ストップ要素（１１５、１２５；３００；４０２、４０３；５０２、５０３；６０２、６０３）が、結合手段（１０４；４０１；５０１；６０１）によって結合された動きに加え、互いに独立して可動であり、
各ストップ要素（１１５、１２５；３００；４０２、４０３；５０２、５０３；６０２、６０３）の前記独立した動きのために、手動で作動可能な第２調節手段及び第３調節手段（２１５、２２５；３０３）が設けられることを特徴とする、光学システム。
【請求項２】
結合手段（１０４；４０１；６０１）が、２つのストップ要素（１１５、１２５；３００；４０２、４０３；６０２、６０３）を動かないように結合する、請求項１に記載の光学システム。
【請求項３】
結合手段（１０４；４０１；５０１；６０１）の移動が、合成画像ビーム（１０２）内の第１部分画像ビーム（１２２）の面積比を増加し、且つ、合成画像ビーム（１０２）内の第２部分画像ビーム（１１２）の面積比を減少する、前記ストップ要素の第１位置に、ストップ装置（１０３；４００；５００；６００）をもたらすことが可能である、請求項１又は２に記載の光学システム。
【請求項４】
結合手段（１０４；４０１；５０１；６０１）の移動をもたらすために、手動で作動可能な第１調節手段（７００、２３５；４０４；５０４；６０４）が設けられる、請求項３に記載の光学システム。
【請求項５】
ストップ装置（１０３；４００；５００；６００）が少なくとも一つの調心手段（９２２、９３２）を備えて構成され、それによってストップ要素（１１５、１２５；３００；４０２、４０３；５０２、５０３；６０２、６０３）が互いに位置合せ可能である、請求項１〜４のいずれか一項に記載の光学システム。
【請求項６】
ストップ装置（１０３；４００；５００；６００）が、異なるストップ要素（１１５、１２５；３００；４０２、４０３；５０２、５０３；６０２、６０３）のストップ部（３０１ａ、３０１ｂ；９１１、９１２）の相互標定を互いに調整するための少なくとも一つの調心手段（９２２、９３２）を備えて構成される、請求項１〜５のいずれか一項に記載の光学システム。
【請求項７】
使用者にとって、少なくとも一つの調心手段（９２２、９３２）が外側から接触可能である、請求項５又は６に記載の光学システム。
【請求項８】
ストップ装置（１０３）が、異なるストップ要素（１１５、１２５）のストップ部（９１１）の縁（９０３）を互いに変位するための、少なくとも一つの第１調心手段（９３２）を備えて構成される、請求項５、６又は７に記載の光学システム。
【請求項９】
ストップ装置（１０３）が、異なるストップ要素（１１５、１２５）のストップ部（９１１）の縁（９０３）を互いに傾けるための、少なくとも一つの第２調心手段（９２２）を備えて構成される、請求項５、６、７又は８に記載の光学システム。
【請求項１０】
少なくとも一つの第１調心手段（９３２）と、少なくとも一つの第２調心手段（９２２）とが、同一のストップ要素（１１５）上に設けられる、請求項８及び９のいずれか一項に記載の光学システム。
【請求項１１】
結合手段（１０４）の移動が、回転軸（Ａ）の周りの回転移動である、請求項３〜１０のいずれか一項に記載の光学システム。
【請求項１２】
回転軸（Ａ）が、結合手段（１０４）の長手方向軸に対して垂直に延びる、請求項１１に記載の光学システム。
【請求項１３】
回転軸（Ａ）が、前記ストップ要素（１１５、１２５）の間を延びる、請求項１２に記載の光学システム。
【請求項１４】
結合手段（１０４）を回転軸（Ａ）の周りで回転させるために、一つの偏心装置（７００）が設けられる、請求項１２又は１３に記載の光学システム。
【請求項１５】
結合手段（４０１；５０１）の移動が直線移動である、請求項３〜１０のいずれか一項に記載の光学システム。
【請求項１６】
結合手段（６０１）の移動が、円移動又は楕円移動である、請求項３〜１０のいずれか一項に記載の光学システム。
【請求項１７】
ストップ装置（１０３；４００；５００；６００）が、２つの部分画像ビーム（１１２、１２２）の混合によって合成画像ビーム（１０２）が形成される、ストップ要素の第２位置にもたらされ得る、請求項１〜１６のいずれか一項に記載の光学システム。
【請求項１８】
ストップ装置（１０３；４００；５００；６００）が、第１部分画像ビーム（１２２）のみによって、更に、第２部分画像ビーム（１１２）のみによって合成画像ビーム（１０２）が形成される、ストップ要素の第３位置及び第４位置にそれぞれもたらされ得る、請求項１〜１７のいずれか一項に記載の光学システム。
【請求項１９】
ストップ装置（１０３；４００；５００；６００）が、二つのストップ要素（１１５、１２５；３００；４０２、４０３；５０２、５０３；６０２、６０３）の各移動によって、ストップ要素の第１、第２、第３及び第４位置にそれぞれもたらされ得る、請求項３〜１８のいずれか一項に記載の光学システム。
【請求項２０】
少なくとも一つのストップ要素（１１５、１２５；３００；４０２、４０３；５０２、５０３；６０２、６０３）が、結合手段（１０４；４０１；５０１；６０１）上に回転可能に装備される、請求項１〜１９のいずれか一項に記載の光学システム。
【請求項２１】
少なくとも一つのストップ要素（３００；４０２、４０３；５０２、５０３；６０２、６０３）が、結合手段（４０１；５０１；６０１）上に変位可能に装備される、請求項１〜２０のいずれか一項に記載の光学システム。
【請求項２２】
一つ以上のストップ部（３０１ａ、３０１ｂ；９１１、９１２）が、連続した、切欠き無しの表面でできた少なくとも一つのストップ要素（１１５、１２５；３００；４０２、４０３；５０２、５０３；６０２、６０３）を形成する、請求項１〜２１のいずれか一項に記載の光学システム。
【請求項２３】
請求項１〜２２のいずれか一項に記載の光学システム（１００）を包含している、比較顕微鏡又は比較マクロスコープ。
【手続補正２】
【補正対象書類名】明細書
【補正対象項目名】発明の名称
【補正方法】変更
【補正の内容】
【発明の名称】試料から各々進行する第１及び第２部分画像ビームを一つの合成画像ビームに合成するための光学システム
【手続補正３】
【補正対象書類名】明細書
【補正対象項目名】０００１
【補正方法】変更
【補正の内容】
【０００１】
本発明は、請求項１のプレアンブル部分（おいて部分）に係る、試料から各々進行する第１及び第２部分画像ビームを一つの合成画像ビームに合成するための光学システムに関連している。当該システムは、例えば比較顕微鏡（comparison microscope）又は比較マクロスコープ（comparison macroscope）のような、特に、多種多様に作成された試料の試験用光学装置において用いられる。
【手続補正４】
【補正対象書類名】明細書
【補正対象項目名】０００９
【補正方法】変更
【補正の内容】
【０００９】
試料から各々進行する第１及び第２部分画像ビームを一つの合成画像ビームに合成するための光学システムは、用意された試料の（例えば法医学的）試験用光学装置、例えば比較顕微鏡又は比較マクロスコープにおいて特に利用され得る。当該光学システムは、第１及び第２部分画像ビーム用に、一つ以上のストップ部を各々有する各可動ストップ要素を備えるストップ装置を備えて構成されており、（結果的として生じる）合成画像ビーム内における各部分画像ビームの面積比を部分修正するために、少なくとも一つのストップ部は、ストップ要素の移動（動き、運動）によって、一つの部分画像ビームと（共に）作動位置にもたらされ得る。ストップ装置は、２つのストップ要素を結合するために移動可能に配置された、結合手段を備えて構成される。（結果として生じる）合成画像ビーム内における部分画像ビームの各面積比は、結合手段によって部分修正可能又は設定可能である。ストップ要素は、好ましくは一画面内で、例えば中間画面又は一画面中で移動可能である。